(57)【要約】【課題】木板から構成され、強度を確保することができるとともに、多様な形状に成形可能な椅子を提供する。【解決手段】椅子１は、脚部２０と、該脚部２０に支持された座部４０と、前記脚部に支持された背部６０と、前記脚部と前記背部とを連結する左右一対の連結部５０とを備える椅子であって、前記脚部２０、前記背部６０及び前記連結部５０は、平面視前側を開口するように形成された木板から、その後側を前記背部６０として一体成形されていることを特徴とする。【選択図】図１
2013212267.tif 000002
【特許請求の範囲】
【請求項１】
脚部と、
該脚部に支持された座部と、
前記脚部に支持された背部と、
前記脚部と前記背部とを連結する左右一対の連結部とを備える椅子であって、
前記脚部、前記背部及び前記連結部は、平面視前側を開口するように形成された木板から、その後側を前記背部として一体成形されていることを特徴とする椅子。
【請求項２】
請求項１に記載の椅子において、
前記木板は、複数の単板が積層された積層部材から形成されていることを特徴とする椅子。
【請求項３】
請求項１または請求項２に記載の椅子において、
前記木板は、平面視コ字状とされ、左右一対の側壁部と、該一対の側壁部を連結する後壁部とを有し、
前記脚部は、前記側壁部及び前記後壁部の下部に形成され、
前記一対の連結部は、前記側壁部の上部を欠落させることにより形成され、
前記背部は、前記一対の連結部間に形成された後壁部であることを特徴とする椅子。
【請求項４】
請求項３に記載の椅子において、
前記連結部は、肘掛部を構成し、前記一対の側壁部における前記後壁部近傍の上部を欠落させることにより形成されていることを特徴とする椅子。
【請求項５】
請求項１から請求項４のいずれか一項に記載の椅子において、
前記脚部、前記背部及び前記連結部は、少なくともそれぞれのその一部が、上下方向に向けて連続し前記平面視コ字状に湾曲した湾曲部に設けられていることを特徴とする椅子。
【発明の詳細な説明】
【技術分野】
【０００１】
本発明は、椅子に関するものである。
【背景技術】
【０００２】
一般に、脚部と、該脚部の上部に設けられた座部と、該座部に着座する利用者を支持する背もたれ部とを有する椅子として、様々な構成のものが知られている。
【０００３】
例えば、背もたれ部と脚部とが一体成形された本体と、該本体に支持された座部とを有するものが提案されている（下記特許文献１参照）。ここで、本体は、表壁部と、裏壁部と、該表壁部と裏壁部との間に形成された密閉空間である中空部とを有するブロー成形による樹脂で成形されている。
【０００４】
また、脚部から座部に跨る枠形状の合板と、脚部から座部、背部に跨る枠形状の合板と、背部から脚部に股がる枠形状の合板とを組み付けた構成が提案されている（下記特許文献２参照）。
【先行技術文献】
【特許文献】
【０００５】
【特許文献１】特許第２６７５９５９号公報
【特許文献２】特公昭６１−７９２１号公報
【発明の概要】
【発明が解決しようとする課題】
【０００６】
しかしながら、上記の特許文献１に記載の椅子は、本体が樹脂で構成されており該本体の形状は金型の形状により決まるため、多様なデザイン性をもたせることは困難であるという問題点がある。
【０００７】
また、上記の特許文献２に記載の椅子では、脚部、座部及び背もたれ部の接合部分に応力が集中するため、該接合部分を強固な構成とする必要がある。このためには、接合部分の断面積が大きくなってデザイン性が制約されてしまうという問題点がある。
【０００８】
本発明は、上記事情に鑑みてなされたものであり、木板から構成され、強度を確保することができるとともに、多様な形状に成形可能な椅子を提供するものである。
【課題を解決するための手段】
【０００９】
上記目的を達成するために、本発明は以下の手段を採用している。
すなわち、本発明に係る椅子は、脚部と、該脚部に支持された座部と、前記脚部に支持された背部と、前記脚部と前記背部とを連結する左右一対の連結部とを備える椅子であって、前記脚部、前記背部及び前記連結部は、平面視前側を開口するように形成された木板から、その後側を前記背部として一体成形されていることを特徴とする。
【００１０】
このような椅子では、脚部、背部及び連結部を一体成形することにより、座部に着座する利用者の荷重を脚部、背部及び連結部のいずれかの箇所に部分的に集中させることがなくこれらの部材全体で負担することができるため、集中荷重による部材の破損や劣化を防止することができるとともに椅子自体の強度を確保することができる。
また、椅子は木板から構成されるため、該木板を任意の形状に切断することにより多様な形状の椅子とすることが可能である。
【００１１】
また、本発明に係る椅子は、前記木板は、複数の単板が積層された積層部材から形成されていることが好ましい。
【００１２】
このような椅子では、複数の単板が積層された積層部材から形成されているため、椅子自体の強度を一層高めることができる。
【００１３】
また、本発明に係る椅子は、前記木板は、左右一対の側壁部と、該一対の側壁部を連結する後壁部とを有し、前記脚部は、前記側壁部及び前記後壁部の下部に形成され、前記一対の連結部は、前記側壁部の上部を欠落させることにより形成され、前記背部は、前記一対の連結部間に形成された後壁部であってもよい。
【００１４】
このような椅子では、木板の側壁部を欠落させることで連結部を形成するとともに、脚部と背部とを有する椅子を構成することができる。
【００１５】
また、本発明に係る椅子は、前記連結部は、肘掛部を構成し、前記一対の側壁部における前記後壁部近傍の上部を欠落させることにより形成されていてもよい。
【００１６】
このような椅子では、肘掛部は背部と連続して一体成形されているため、利用者の荷重を確実に負担することができる。また、利用者は背部のみならず肘掛部にも荷重をかけて着座することができるため、使い勝手を良好とすることができる。
【００１７】
また、本発明に係る椅子は、前記脚部、前記背部及び前記連結部は、少なくともそれぞれのその一部が上下方向に向けて連続し前記平面視コ字状に湾曲した湾曲部に設けられていてもよい。
【００１８】
このような椅子では、脚部、背部及び連結部が一体として湾曲して形成されているため、四方からの外力に対して抗することができる。
【発明の効果】
【００１９】
本発明に係る椅子によれば、木板から構成され、脚部、背部及び連結部を一体成形することにより、座部に着座する利用者の荷重を脚部、背部及び連結部のいずれかの箇所に部分的に集中させることがなくこれらの部材全体で負担することができるため、椅子強度を確保可能であるとともに、多様な形状が可能である。
【図面の簡単な説明】
【００２０】
【図１】本発明の一実施形態に係る椅子の斜視図である。
【図２】本発明の一実施形態に係る椅子の分解斜視図である。
【図３】本発明の一実施形態に係る椅子を分解した要部を（ａ）前方から見た斜視図、（ｂ）後方から見た斜視図である。
【図４】本発明の一実施形態に係る椅子の成形前の木板の斜視図である。
【図５】本発明の一実施形態の変形例に係る椅子の要部の斜視図である。
【発明を実施するための形態】
【００２１】
（椅子）
以下、本発明の一実施形態に係る椅子について説明する。
図１に示すように、椅子１は、脚部２０と、座受け部３０と、座部４０と、肘掛部（連結部）５０と、背部６０とを有している。
なお、便宜上、図１に示す左右方向を左右方向、紙面の奥行の手前側から奥側に向かう方向を前後方向、上下方向を上下方向と称する。
【００２２】
（脚部）
図１に示すように、脚部２０は、左右方向一対の前側脚部２１と、左右一対の後側脚部２２とを有している。
本実施形態では、脚部２０は、下部から上部に向かうにしたがってその幅方向の寸法が大きくなるように設定されている。
【００２３】
（座受け部）
座受け部３０は、左右それぞれの前側脚部２１及び後側脚部２２の上部を連結するようにして設けられ、該前側脚部２１及び後側脚部２２に一体として成形されている。
【００２４】
この座受け部３０の前側は前側連結材３１で連結され、後側は後側連結材３２で連結されている。
前側連結材３１及び後側連結材３２は、合板または無垢材等で構成されている。
【００２５】
（座部）
座部４０は、脚部２０の上方に設けられ、例えば、合板（不図示。以下同じ。）等で構成された基部をクッション材４１で覆った構成である。この座部４０は、座受け部３０を介して脚部２０に支持されており、本実施形態では座受け部３０の内部、前側連結材３１の後部及び後側連結材３２の前部に支持されて固定されている。
【００２６】
（肘掛部）
肘掛部５０は、脚部２０と背部６０とを連結する左右一対の連結部として構成されている。本実施形態では肘掛部５０は、座部４０の左右方向両側方から立設するように一対設けられており、脚部２０及び座受け部３０に一体として成形されている。
また、肘掛部５０には、その上部に布等から構成される肘パット５１が設けられている。
【００２７】
（背部）
背部６０は、脚部２０に支持されており、座部４０の後方から立設するとともに一対の肘掛部５０間に設けられ、脚部２０、座受け部３０及び肘掛部５０に一体として成形されている。また、背部６０は肘掛部５０よりも上下方向の高さが高くなるように設定されている。
【００２８】
また、図２に示すように、本実施形態では、背部６０の左右方向略中央部には、上端から下方に向かってその左右方向の長さが短くなるように形成された切欠き部６１が設けられ、該切欠き部６１の下方には前後方向に貫通する貫通孔６２が設けられている。
【００２９】
また、背部６０から肘掛部５０に跨って、その内面側には背受けパット６５が設けられている。
背受けパット６５は、背部６０の前側に設けられる背前側パット６６と、背前側パット６６の左右方向両側から前方に張り出し肘掛部５０の内面側に設けられる肘側パット６７と、背前側パット６６の上部から背部６０の後側に向かって垂下する背後側パット６８とを有している。
【００３０】
図３に示すように、背後側パット６８は、背部６０に設けられた切欠き部６１の上下方向途中部分まで配設されている。
また、図１に示すように、背受けパット６５の前側には背クッション６９が設けられている。
【００３１】
次に、木板１０から、本実施形態に係る椅子１を構成する脚部２０と、座受け部３０と、肘掛部５０と、背部６０とを製造する方法について、図４を用いて説明する。
【００３２】
木板１０は、複数の薄い単板が積層された積層部材から構成されている。例えば、隣接する単板の繊維方向を同方向に積層された部材又は９０°異ならせて互い違いに積層された部材である。
【００３３】
この木板１０は、断面視（椅子１が床面Ｆに立設した図１に示す状態で平面視）一方側が開口するように形成されている。本実施形態では、断面視コ字状に湾曲して形成されている。
【００３４】
ここで、木板１０の開口する一方側が、該椅子１が床面Ｆに立設した状態で前側となる。また、木板１０の延在方向である図４に示す右側から左側に向かう方向が、椅子１の上下方向とされている。また、木板１０は、椅子１の上方側から下方側に向かって開口幅１０Ａが大きく設定されている。
【００３５】
また、木板１０は、左右一対の側壁部１１と、該一対の側壁部１１を連結する後壁部１２とを有しており、側壁部１１の端部及び後壁部１２の端部は湾曲した湾曲部１３とされている。
【００３６】
本実施形態では、木板１０から、椅子１の外周部１Ａに沿って複数の欠落部７１・・・を切断除去することにより、椅子１を構成する脚部２０、座受け部３０、肘掛部５０及び背部６０が形成される。
【００３７】
複数の欠落部７１・・・は、前側脚部２１の後部と座受け部３０の下部と後側脚部２２の前部とを結んだ左右一対の脚前側欠落部７１と、一対の後側脚部２２の左右方向内部と背部６０の下部とを結んだ脚後側欠落部７３と、背部６０に設けられた切欠き部６１と、背部６０に設けられた貫通孔６２と、肘掛部５０の上部と座受け部３０の上部とを結んだ左右一対の肘側欠落部７５とで構成されている。
【００３８】
木板１０の側壁部１１から脚前側欠落部７１を欠落させることにより前側脚部２１が形成され、さらに後壁部１２から脚後側欠落部７３を欠落させることにより後側脚部２２が形成される。
【００３９】
前側脚部２１は木板１０の側壁部１１の下部に形成され、後側脚部２２は、木板１０の側壁部１１から湾曲部１３、後壁部１２に跨って形成されている。
【００４０】
さらに、木板１０の後壁部１２から切欠き部６１及び貫通孔６２を欠落させることにより背部６０が形成される。この背部６０は、木板１０の後壁部１２から湾曲部１３に跨って、木板１０の後側に形成されている。
【００４１】
肘側欠落部７５は、側壁部１１から湾曲部１３にわたる木板１０の上部に設けられており、側壁部１１及び湾曲部１３における後壁部１２近傍の上部の第一欠落部７６と、該第一欠落部７６よりも前方の側壁部１１に設けられた第二欠落部７７とを有している。
【００４２】
木板１０の湾曲部１３を含む側壁部１１から第一欠落部７６を欠落させることにより肘掛部５０が形成される。この肘掛部５０は、木板１０の後壁部１２から湾曲部１３に跨って形成されている
また、側壁部１１から第二欠落部７７を欠落させることにより座受け部３０が形成される。
【００４３】
このように構成された椅子１は、脚部２０、座受け部３０、肘掛部５０及び背部６０を木板１０で一体成形することにより、座部４０に着座する利用者（不図示。以下同じ。）の荷重を脚部２０、座受け部３０、肘掛部５０及び背部６０のいずれかの箇所に部分的に集中させることがなくこれらの部材全体で負担することができるため、集中荷重による部材の破損や劣化を防止することができるとともに椅子１自体の強度を確保することができる。
【００４４】
また、木板１０は、単板の木目方向を互い違いに積層された部材から構成されている場合には、任意の方向からの外力に対して確実に抗することができるため、椅子１自体の強度を一層高めることができる。
【００４５】
さらに、高強度な積層部材を用いることで、任意の方向からの外力に対してより確実に抗することができるため、椅子１自体の強度をより一層高めることができる。
【００４６】
また、脚部２０、背部６０及び肘掛部５０が一体として湾曲部１３に形成されているため、例えば左右方向の外力に対しては湾曲部１３のうち後壁部１２側が抗し、前後方向からの外力に対しては湾曲部１３のうち側壁部１１側がそれぞれ抗する。よって、四方からの外力に対して有効に抗することができるため、椅子１自体の強度を高めることができる。
【００４７】
また、椅子１は木板から構成されるため、切断除去する欠落部７１・・・の形状を任意に選択可能である。よって、欠落部７１・・・の形状を変更することにより、多様な形状の椅子１とすることが可能である。
【００４８】
また、肘掛部５０は背部６０と連続して一体成形されているため、座部４０に着座する利用者の荷重を確実に負担することができる。また、利用者は背部６０のみならず肘掛部５０にも荷重をかけて着座することができるため、使い勝手を良好とすることができる。
【００４９】
また、背部６０の下部には貫通孔６２が設けられているため、背受けパット６５及び背クッション６９を取り除けば座部４０に溜まった塵芥類を該貫通孔６２から下方に取り除くことができ、清潔感を維持することができる。
【００５０】
また、背部６０の後側には切欠き部６１の上部に背後側パット６８が配設され、背後側パット６８の下部が椅子１の把手の役目を担っているため、利用者が該背後側パット６８の下部を把持することで椅子１の持ち運びが可能となり、利便性が高い。
【００５１】
（変形例）
本実施形態の変形例に係る椅子１０１として、連結部５２が、図５に示すように座受け部３０の後部から後方に向かうにしたがって上下方向の長さが大きくなるように形成された側面視三角形状であってもよい。
【００５２】
背受け部１６５は、背部６０の前側に設けられる背前側パット１６６と、背前側パット１６６の左右方向両側から前方に張り出し連結部５２の形状と対応して形成され該連結部５２の内面側に設けられる肘側パット１６７と、背前側パット１６６の上部から背部６０の後側に向かって垂下する背後側パット１６８とを有している。
【００５３】
この場合にも、利用者の荷重を脚部２０、座受け部３０、連結部５２及び背部６０で分散して負担することができるため、応力が部分的に集中することがない。さらに、前後方向からの外力に対しては該連結部５２が効果的に抗することができる。よって、集中荷重による部材の破損や劣化を防止することができるとともに椅子１０１自体の強度を確保することができる。
【００５４】
また、上述した実施の形態において示した動作手順、あるいは各構成部材の諸形状や組み合わせ等は一例であって、本発明の主旨から逸脱しない範囲において設計要求等に基づき種々変更可能である。
【００５５】
例えば、断面視一方側が開口するように形成されている木板として、上記に示す断面視コ字状に湾曲して形成されて部材以外に、断面視Ｕ字状、Ｖ字状等の部材も採用可能である。
【符号の説明】
【００５６】
１…椅子
１０…木板
１１…側壁部
１２…後壁部
１３…湾曲部
２０…脚部
４０…座部
５０，５２…肘掛部（連結部）
６０…背部
【図１】
2013212267.tif 000003
【図２】
2013212267.tif 000004
【図３】
2013212267.tif 000005
【図４】
2013212267.tif 000006
【図５】
2013212267.tif 000007